(57)【要約】      （修正有）【課題】入力した音楽等の音声情報を聴きながら周囲の音も聴き取り、さらに、難聴度に合わせて増幅度を切換え調節して音声を明瞭に聞き取ることを可能にした携帯用電子機器を提供する。【解決手段】音声再生装置は、外部からの音声情報を入力する音声情報入力端子１０と、周囲の音を収集するマイクロホン１３と、前記音声情報入力端子１０の音声情報と前記マイクロホン１３の周囲の音声を合成する合成器１２と、この合成器１２の合成音の増幅度を多段階に調整可能な音声処理部１６からなる音声処理回路１５と、この音声処理回路１５の音声を出力する音声出力部１９を具備し、前記音声処理部１６は、多段階に調整した音声信号から最適音を選択する切換回路２５を含むことを特徴とする。【選択図】図３
0003212866.tif 000002
【実用新案登録請求の範囲】
【請求項１】
外部からの音声情報を入力する音声情報入力端子と、
周囲の音を収集するマイクロホンと、
前記音声情報入力端子の音声情報と前記マイクロホンの周囲の音声を合成する合成器と、
この合成器の合成音の増幅度を多段階に調整可能な音声処理部からなる音声処理回路と、
この音声処理回路の音声を出力する音声出力部を具備し、
前記音声処理部は、多段階に調整した音声信号から最適音を選択する切換回路を含むことを特徴とする音声再生装置。
【請求項２】
音声処理部は、合成器から出力する合成音声の第２フォルマント以降を増幅する増幅度の異なる複数の増幅器と、第１フォルマントによって異なる周波数帯域を設定する複数のＢＰＦと、これら複数の増幅器とＢＰＦの組み合わせのアンド出力を取る複数のアンド回路とからなることを特徴とする請求項１記載の音声再生装置。
【請求項３】
切換回路は、音声処理部で増幅度を調整した信号と、音声処理部で増幅度を調整しない信号の中からいずれか１つを選択する切換端子を含むことを特徴とする請求項１又は２記載の音声再生装置。
【請求項４】
Ｒｃｈ端子とＬｃｈ端子にて外部からのステレオ音声情報を入力する音声情報入力端子と、
周囲の音を収集するＲｃｈマイクロホンと、
周囲の音を収集するＬｃｈマイクロホンと、
前記Ｒｃｈ端子の音声情報と前記Ｒｃｈマイクロホンの周囲の音声を合成するＲｃｈ合成器と、
前記Ｌｃｈ端子の音声情報と前記Ｌｃｈマイクロホンの周囲の音声を合成するＬｃｈ合成器と、
このＲｃｈ合成器の合成音の増幅度を多段階に調整可能なＲｃｈ音声処理部と、前記Ｌｃｈ合成器の合成音の増幅度を多段階に調整可能なＬｃｈ音声処理部とからなる音声処理回路と、
前記Ｒｃｈ音声処理部の音声を出力するＲｃｈ音声出力部と、
前記Ｌｃｈ音声処理部の音声を出力するＬｃｈ音声出力部を具備し、
前記Ｒｃｈ音声処理部は、多段階に調整した音声信号から最適音を選択するＲｃｈ切換回路を含み、前記Ｌｃｈ音声処理部は、多段階に調整した音声信号から最適音を選択するＬｃｈ切換回路を含むことを特徴とする音声再生装置。
【請求項５】
Ｒｃｈ音声処理部は、Ｒｃｈ合成器から出力する合成音声の第２フォルマント以降を増幅する増幅度の異なる複数の増幅器と、第１フォルマントによって異なる周波数帯域を設定する複数のＢＰＦと、これら複数の増幅器とＢＰＦの組み合わせのアンド出力を取る複数のアンド回路とからなり、
Ｌｃｈ音声処理部は、Ｌｃｈ合成器から出力する合成音声の第２フォルマント以降を増幅する増幅度の異なる複数の増幅器と、第１フォルマントによって異なる周波数帯域を設定する複数のＢＰＦと、これら複数の増幅器とＢＰＦの組み合わせのアンド出力を取る複数のアンド回路とからなることを特徴とする請求項４記載の音声再生装置。
【請求項６】
Ｒｃｈ切換回路は、Ｒｃｈ音声処理部で増幅度を調整した信号と、Ｒｃｈ音声処理部で増幅度を調整しない信号の中からいずれか１つを選択するＲｃｈ切換端子を含み、Ｌｃｈ切換回路は、Ｌｃｈ音声処理部で増幅度を調整した信号と、Ｌｃｈ音声処理部で増幅度を調整しない信号の中からいずれか１つを選択するＬｃｈ切換端子を含むことを特徴とする請求項４又は５記載の音声再生装置。
【考案の詳細な説明】
【技術分野】
【０００１】
本考案は、入力した音楽等の音声情報を聴きながら周囲の音も聴き取り、さらに、難聴度に合わせて増幅度を切換え調節して音声を明瞭に聞き取ることを可能にした携帯用電子機器における音声再生装置に関するものである。
【背景技術】
【０００２】
本願の出願人は、入力した音楽等を聴きながら周囲の音声も聴き取ることのできるヘッドホンをすでに提案した（特許文献１）。
この特許文献１に記載のヘッドホンは、
情報信号を出力する情報出力装置に接続して使用されるヘッドホンであって、
前記情報信号が入力される入力端子と、
該入力端子と前記情報出力装置とを接続する接続コードであって、前記情報出力装置が出力する情報信号を前記入力端子に入力するための接続コードと、
音を出力する左右一対のレシーバ部と、
該レシーバ部を互いに連結するヘッドバンドと、
周囲の音を収集し、これに基づく音信号を出力する左右一対の集音マイクロフォン部であって、各前記レシーバ部に対応して設けられた左右一対の集音マイクロフォン部と、
前記入力端子と各前記集音マイクロフォン部とに接続された一対の合成部であって、前記入力端子を介して入力される前記情報信号と前記集音マイクロフォン部から出力される前記音信号とが入力され、これらに基づく合成信号を出力する合成器と、
前記合成器及び前期レシーバ部に接続される音声処理回路であって、前記合成回路から入力される前記合成信号に対して感度を増大させる処理を行い、該処理によって生成される処理信号を各前期レシーバ部に出力する音声処理回路と、
前記音声処理回路に接続される電源回路であって、前記集音マイクロフォン部に電力を供給する電源回路とを含み、
各前記レシーバ部は前記音声処理回路から入力される各前記処理信号に基づく音を出力するものである。
【先行技術文献】
【特許文献】
【０００３】
【特許文献１】実用新案登録第３１３１８１６号公報
【考案の開示】
【考案が解決しようとする課題】
【０００４】
特許文献１に記載の発明は、補聴器に関するものであって、特定の使用者向けに調節した特注品のヘッドホンである。
スマートホン、タブレット端末などの携帯用電子機器においては、一般消費者向けの汎用品であるから、使用者の難聴度の度合い、聴き取れにくい周波数の範囲が違っても使用者自身で対応できるものが望まれていた。
【０００５】
本考案は、入力した音楽等の音声情報を聴きながら周囲の音も聴き取り、さらに、難聴度に合わせて増幅度を切換え調節して音声を明瞭に聞き取ることを可能にした携帯用電子機器を提供することを目的とするものである。
【課題を解決するための手段】
【０００６】
本考案の音声再生装置は、音声情報がモノラル信号である場合、
外部からの音声情報を入力する音声情報入力端子１０と、
周囲の音を収集するマイクロホン１３と、
前記音声情報入力端子１０の音声情報と前記マイクロホン１３の周囲の音声を合成する合成器１２と、
この合成器１２の合成音の増幅度を多段階に調整可能な音声処理部１６からなる音声処理回路１５と、
この音声処理回路１５の音声を出力する音声出力部１９を具備し、
前記音声処理部１６は、多段階に調整した音声信号から最適音を選択する切換回路２５を含むことを特徴とする。
【０００７】
音声処理部１６は、合成器１２から出力する合成音声の第２フォルマント以降を増幅する増幅度の異なる複数の増幅器２０と、第１フォルマントによって異なる周波数帯域を設定する複数のＢＰＦ２１と、これら増幅器２０とＢＰＦ２１の組み合わせのアンド出力を取る複数のアンド回路２２とからなることを特徴とする。
【０００８】
切換回路２５は、音声処理部１６で増幅度を調整した信号と、音声処理部１６で増幅度を調整しない信号の中からいずれか１つを選択する切換端子１７を含むことを特徴とする。
【０００９】
本考案は、音声情報がステレオ信号である場合、
Ｒｃｈ端子１１ａとＬｃｈ端子１１ｂにて外部からのステレオ音声情報を入力する音声情報入力端子１０と、
周囲の音を収集するＲｃｈマイクロホン１３ａと、
周囲の音を収集するＬｃｈマイクロホン１３ｂと、
前記Ｒｃｈ端子１１ａの音声情報と前記Ｒｃｈマイクロホン１３ａの周囲の音声を合成するＲｃｈ合成器１２ａと、
前記Ｌｃｈ端子１１ｂの音声情報と前記Ｌｃｈマイクロホン１３ｂの周囲の音声を合成するＬｃｈ合成器１２ｂと、
このＲｃｈ合成器１２ａの合成音の増幅度を多段階に調整可能なＲｃｈ音声処理部１６ａと、前記Ｌｃｈ合成器１２ｂの合成音の増幅度を多段階に調整可能なＬｃｈ音声処理部１６ｂとからなる音声処理回路１５と、
前記Ｒｃｈ音声処理部１６ａの音声を出力するＲｃｈ音声出力部１９ａと、
前記Ｌｃｈ音声処理部１６ｂの音声を出力するＬｃｈ音声出力部１９ｂを具備し、
前記Ｒｃｈ音声処理部１６ａは、多段階に調整した音声信号から最適音を選択するＲｃｈ切換回路２５ａを含み、前記Ｌｃｈ音声処理部１６ｂは、多段階に調整した音声信号から最適音を選択するＬｃｈ切換回路２５ｂを含むことを特徴とする。
【００１０】
Ｒｃｈ音声処理部１６ａは、Ｒｃｈ合成器１２ａから出力する合成音声の第２フォルマント以降を増幅する増幅度の異なる複数の増幅器２０ａ１，２０ａ２、…と、第１フォルマントによって異なる周波数帯域を設定する複数のＢＰＦ２１ａ１，２１ａ２、…と、これら複数の増幅器２０ａ１，２０ａ２、…とＢＰＦ２１ａ１，２１ａ２、…の組み合わせのアンド出力を取る複数のアンド回路２２ａ1，２２ａ２、２２ａ３，２２ａ４、…とからなり、
Ｌｃｈ音声処理部１６ｂは、Ｌｃｈ合成器１２ｂから出力する合成音声の第２フォルマント以降を増幅する増幅度の異なる複数の増幅器２０ｂ１，２０ｂ２、…と、第１フォルマントによって異なる周波数帯域を設定する複数のＢＰＦ２１ｂ１，２１ｂ２、…と、これら複数の増幅器２０ｂ１，２０ｂ２、…とＢＰＦ２１ｂ１，２１ｂ２、…の組み合わせのアンド出力を取る複数のアンド回路２２ｂ1，２２ｂ２、２２ｂ３，２２ｂ４、…とからなることを特徴とする。
【００１１】
Ｒｃｈ切換回路２５ａは、Ｒｃｈ音声処理部１６ａで増幅度を調整した信号と、Ｒｃｈ音声処理部１６ａで増幅度を調整しない信号の中からいずれか１つを選択するＲｃｈ切換端子１７ａを含み、Ｌｃｈ切換回路２５ｂは、Ｌｃｈ音声処理部１６ｂで増幅度を調整した信号と、Ｌｃｈ音声処理部１６ｂで増幅度を調整しない信号の中からいずれか１つを選択するＬｃｈ切換端子１７ｂを含むことを特徴とする。
【考案の効果】
【００１２】
請求項１記載の考案によれば、
外部からの音声情報を入力する音声情報入力端子と、
周囲の音を収集するマイクロホンと、
前記音声情報入力端子の音声情報と前記マイクロホンの周囲の音声を合成する合成器と、
この合成器の合成音の増幅度を多段階に調整可能な音声処理部からなる音声処理回路と、
この音声処理回路の音声を出力する音声出力部を具備し、
前記音声処理部は、多段階に調整した音声信号から最適音を選択する切換回路を含むので、難聴度の度合いによって切換回路で最適な音声を選択することができる。
【００１３】
請求項２記載の考案によれば、
音声処理部は、合成器から出力する合成音声の第２フォルマント以降を増幅する増幅度の異なる複数の増幅器と、第１フォルマントによって異なる周波数帯域を設定する複数のＢＰＦと、これら増幅器とＢＰＦの組み合わせのアンド出力を取る複数のアンド回路とからなるので、第１フォルマントを増幅せず、第２フォルマント以降を増幅することでキンキンする音がなくなる。その結果、周波数の低い音声から周波数の高い音声までキンキンさせないで明瞭にすることができる。また、増幅度と周波数帯域との組み合わせで詳細に調整できる。
【００１４】
請求項３記載の考案によれば、
切換回路は、音声処理部で増幅度を調整した信号と、音声処理部で増幅度を調整しない信号の中からいずれか１つを選択する切換端子を含むので、増幅度を調整しない健聴者から増幅度を調整した軽度、中度、高度の難聴者までそれぞれに適切なレベルの暗騒音とすることができて、なおかつ、音声を明瞭にする効果の強さを適切にできる。
【００１５】
請求項４記載の考案によれば、
Ｒｃｈ端子とＬｃｈ端子にて外部からのステレオ音声情報を入力する音声情報入力端子と、
周囲の音を収集するＲｃｈマイクロホンと、
周囲の音を収集するＬｃｈマイクロホンと、
前記Ｒｃｈ端子の音声情報と前記Ｒｃｈマイクロホンの周囲の音声を合成するＲｃｈ合成器と、
前記Ｌｃｈ端子の音声情報と前記Ｌｃｈマイクロホンの周囲の音声を合成するＬｃｈ合成器と、
このＲｃｈ合成器の合成音の増幅度を多段階に調整可能なＲｃｈ音声処理部と、前記Ｌｃｈ合成器の合成音の増幅度を多段階に調整可能な音声処理部とからなる音声処理回路と、
前記Ｒｃｈ音声処理部の音声を出力するＲｃｈ音声出力部と、
前記Ｌｃｈ音声処理部の音声を出力するＬｃｈ音声出力部を具備し、
前記Ｒｃｈ音声処理部は、多段階に調整した音声信号から最適音を選択するＲｃｈ切換回路を含み、前記Ｌｃｈ音声処理部は、多段階に調整した音声信号から最適音を選択するＬｃｈ切換回路を含むので、ステレオ信号の場合、ＲｃｈとＬｃｈを個々に調整することができる。
【００１６】
請求項５記載の考案によれば、
Ｒｃｈ音声処理部は、Ｒｃｈ合成器から出力する合成音声の第２フォルマント以降を増幅する増幅度の異なる複数の増幅器と、第１フォルマントによって異なる周波数帯域を設定する複数のＢＰＦと、これら複数の増幅器と複数のＢＰＦの組み合わせのアンド出力を取る複数のアンド回路とからなり、
Ｌｃｈ音声処理部は、Ｌｃｈ合成器から出力する合成音声の第２フォルマント以降を増幅する増幅度の異なる複数の増幅器と、第１フォルマントによって異なる周波数帯域を設定する複数のＢＰＦと、これら複数の増幅器と複数のＢＰＦの組み合わせのアンド出力を取る複数のアンド回路とからなるので、ステレオ信号を、増幅度と周波数帯域との組み合わせで詳細に調整できる。
【００１７】
請求項６記載の考案によれば、
Ｒｃｈ切換回路は、Ｒｃｈ音声処理部で増幅度を調整した信号と、Ｒｃｈ音声処理部で増幅度を調整しない信号の中からいずれか１つを選択するＲｃｈ切換端子を含み、Ｌｃｈ切換回路は、Ｌｃｈ音声処理部で増幅度を調整した信号と、Ｌｃｈ音声処理部で増幅度を調整しない信号の中からいずれか１つを選択するＬｃｈ切換端子を含むので、増幅度を調整した信号と調整しない信号により難聴者と健聴者の両者に対応できる。
【図面の簡単な説明】
【００１８】
【図１】本考案による音声再生装置の実施例１を示すブロック図である。
【図２】（ａ）は、図１におけるＲｃｈ音声処理部１６ａの詳細なブロック図、（ｂ）は、増幅度の説明図である。
【図３】本考案による音声再生装置の実施例２を示すブロック図である。
【図４】等感曲線図の説明図である。
【図５】第２フォルマントを増強する例の説明図である。
【考案を実施するための形態】
【００１９】
本考案音の声再生装置は、音声情報がモノラル信号である場合、図３に示すように、
外部からの音声情報を入力する音声情報入力端子１０と、
周囲の音を収集するマイクロホン１３と、
前記音声情報入力端子１０の音声情報と前記マイクロホン１３の周囲の音声を合成する合成器１２と、
この合成器１２の合成音の増幅度を多段階に調整可能な音声処理部１６からなる音声処理回路１５と、
この音声処理回路１５の音声を出力する音声出力部１９を具備し、
前記音声処理部１６は、多段階に調整した音声信号から最適音を選択する切換回路２５を含む。
【００２０】
音声処理部１６は、合成器１２から出力する合成音声の第２フォルマント以降を増幅する増幅度の異なる複数の増幅器２０と、第１フォルマントによって異なる周波数帯域を設定する複数のＢＰＦ（バンドパスフィルター）２１と、これら増幅器２０とＢＰＦ２１の組み合わせのアンド出力を取る複数のアンド回路２２とからなるものとする。
【００２１】
切換回路２５は、音声処理部１６で増幅度を調整した信号と、音声処理部１６で増幅度を調整しない信号の中からいずれか１つを選択する切換端子１７を含む。
【００２２】
本考案の音声再生装置は、音声情報がステレオ信号である場合、
Ｒｃｈ端子１１ａとＬｃｈ端子１１ｂにて外部からのステレオ音声情報を入力する音声情報入力端子１０と、
周囲の音を収集するＲｃｈマイクロホン１３ａと、
周囲の音を収集するＬｃｈマイクロホン１３ｂと、
前記Ｒｃｈ端子１１ａの音声情報と前記Ｒｃｈマイクロホン１３ａの周囲の音声を合成するＲｃｈ合成器１２ａと、
前記Ｌｃｈ端子１１ｂの音声情報と前記Ｌｃｈマイクロホン１３ｂの周囲の音声を合成するＬｃｈ合成器１２ｂと、
このＲｃｈ合成器１２ａの合成音の増幅度を多段階に調整可能なＲｃｈ音声処理部１６ａと、前記Ｌｃｈ合成器１２ｂの合成音の増幅度を多段階に調整可能なＬｃｈ音声処理部１６ｂとからなる音声処理回路１５と、
前記Ｒｃｈ音声処理部１６ａの音声を出力するＲｃｈ音声出力部１９ａと、
前記Ｌｃｈ音声処理部１６ｂの音声を出力するＬｃｈ音声出力部１９ｂを具備し、
前記Ｒｃｈ音声処理部１６ａは、多段階に調整した音声信号から最適音を選択するＲｃｈ切換回路２５ａを含み、前記Ｌｃｈ音声処理部１６ｂは、多段階に調整した音声信号から最適音を選択するＬｃｈ切換回路２５ｂを含む。
【００２３】
Ｒｃｈ音声処理部１６ａは、Ｒｃｈ合成器１２ａから出力する合成音声の第２フォルマント以降を増幅する増幅度の異なる複数の第１増幅器２０ａ１，第２増幅器２０ａ２と、第１フォルマントによって異なる周波数帯域を設定する複数の第１ＢＰＦ２１ａ１，第２ＢＰＦ２１ａ２と、これら第１増幅器２０ａ１，第２増幅器２０ａ２と第１ＢＰＦ２１ａ１，第２ＢＰＦ２１ａ２の組み合わせのアンド出力を取る複数のアンド回路２２ａ1，２２ａ２、２２ａ３，２２ａ４とからなり、
Ｌｃｈ音声処理部１６ｂは、Ｌｃｈ合成器１２ｂから出力する合成音声の第２フォルマント以降を増幅する増幅度の異なる複数の第１増幅器２０ｂ１，第２増幅器２０ｂ２と、第１フォルマントによって異なる周波数帯域を設定する複数の第１ＢＰＦ２１ｂ１，第２ＢＰＦ２１ｂ２と、これら第１増幅器２０ｂ１，第２増幅器２０ｂ２と第１ＢＰＦ２１ｂ１，第２ＢＰＦ２１ｂ２の組み合わせのアンド出力を取る複数のアンド回路２２ｂ1，２２ｂ２、２２ｂ３，２２ｂ４とからなる。
【００２４】
Ｒｃｈ切換回路２５ａは、Ｒｃｈ音声処理部１６ａで増幅度を調整した信号と、Ｒｃｈ音声処理部１６ａで増幅度を調整しない信号の中からいずれか１つを選択するＲｃｈ切換端子１７ａを含み、Ｌｃｈ切換回路２５ｂは、Ｌｃｈ音声処理部１６ｂで増幅度を調整した信号と、Ｌｃｈ音声処理部１６ｂで増幅度を調整しない信号の中からいずれか１つを選択するＬｃｈ切換端子１７ｂを含む。
【実施例１】
【００２５】
本考案の実施例１として、音声情報がステレオ信号である場合を図１に基づき説明する。
１０は、音楽情報その他の音声情報入力端子で、この音声情報入力端子１０のＲｃｈ端子１１ａは、Ｒｃｈ合成器１２ａの一方の入力側に接続され、このＲｃｈ合成器１２ａの他方の入力側には、Ｒｃｈマイクロホン１３ａがＲｃｈ増幅器１４ａを介して接続されている。前記Ｒｃｈ合成器１２ａの出力側は、音声処理回路１５のＲｃｈ音声処理部１６ａに接続され、このＲｃｈ音声処理部１６ａは、Ｒｃｈパワー増幅器１８ａを介してＲｃｈ音声出力部１９ａに接続されている。前記Ｒｃｈ音声処理部１６ａには、Ｒｃｈ切換端子１７ａが接続されている。
前記音声情報入力端子１０のＬｃｈ端子１１ｂ側についてもその構成は、同様である。
【００２６】
前記音声処理回路１５は、難聴の度合いによって音声を処理するもので、次のような機能を有することが望まれる。
（１）音声処理回路１５は、図５における十分にレベルの大きな第１フォルマント（主音成分）を増幅せず、聴き取りにくくなる第２フォルマント以降（倍音成分）を図５の一点鎖線Ｂ１、Ｂ２、Ｂ３、…に示すように、難聴度の度合いにより増強する。
（２）増幅している周波数に第１フォルマントが乗ると、キンキンする音の原因になるが、第１フォルマントを増幅せず、第２フォルマント以降を増幅することでキンキンする音がなくなる。その結果、周波数の低い音声から周波数の高い音声までキンキンさせないで明瞭にする。
【００２７】
（３）しかし、高度難聴者まで対応できるように増幅度を高めると、健聴者や軽度難聴者には、サーという音声が気になり、増幅器の性能が悪いように感じ取られる。しかし、このサーという音声は、暗騒音といい、この暗騒音の中に部屋の大きさや周囲の状況を伝える信号が含まれている。目の見えない人が周囲の状況を知るのに、この情報が必要になる。また、目の見える人でも背後の気配などを暗騒音から得ている。
その人に不必要な増幅をした場合に、サーが聴こえ、暗騒音を感じ取りながらも聴こえないレベルに調節すると、静かなのに周囲の気配を感じ取ることができる。
【００２８】
（４）そこで、健聴者、軽度難聴者、中度難聴者、高度難聴者など、難聴度に合わせて音声処理回路１５の増幅度を調節すると、それぞれに適切なレベルの暗騒音とすることができて、なおかつ、音声を明瞭にする効果の強さを適切にできる。
（５）健聴者や軽度難聴者には、増幅度を弱め、中度難聴者や高度難聴者には、増幅度を強める。
（６）このように、難聴度の度合いによって増幅度と難聴周波数を適切に組み合わせた信号を選択できるようにすることで、難聴度に応じて暗騒音を適切にしながら適切な明瞭度の音声を確保できる。
【００２９】
本考案は、このような問題点を確保するため、図２（ａ）に示すように、音声処理回路１５のＲｃｈ音声処理部１６ａでは、増幅度の異なる第１増幅器２０ａ１（例えば増幅度を１０ｄＢ上げる）と第２増幅器２０ａ２（例えば増幅度を２０ｄＢ上げる）とを設ける。また、第１フォルマントの増幅特性の立ち上がり周波数が低い場合に、低い周波数の第２フォルマントを含めて第２フォルマント以降だけを増幅する第１ＢＰＦ（バンドパスフィルター）２１ａ１と、第１フォルマントの増幅特性の立ち上がり周波数が高い場合に、高い周波数の第２フォルマントを含めて第２フォルマント以降だけを増幅する第２ＢＰＦ２１ａ２とを設け、異なる周波数帯域で増幅する。
【００３０】
前記第１増幅器２０ａ１と第１ＢＰＦ２１ａ１とを第１アンド回路２２ａ１でアンドをとり第１難聴者用入力端子２４ａ１に出力する。すると、図２（ｂ）に２４ａ１で示すような増幅特性線が得られる。
前記第２増幅器２０ａ２と第１ＢＰＦ２１ａ１とを第２アンド回路２２ａ２でアンドをとり第２難聴者用入力端子２４ａ２に出力すると、図２（ｂ）に２４ａ２で示すような増幅特性線が得られる。
前記第１増幅器２０ａ１と第２ＢＰＦ２１ａ２とを第３アンド回路２２ａ３でアンドをとり第３難聴者用入力端子２４ａ３に出力すると、図２（ｂ）に２４ａ３で示すような増幅特性線が得られる。
前記第２増幅器２０ａ２と第２ＢＰＦ２１ａ２とを第４アンド回路２２ａ４でアンドをとり第４難聴者用入力端子２４ａ４に出力すると、図２（ｂ）に２４ａ４で示すような増幅特性線が得られる。
【００３１】
等感曲線を実線で示す図４において、符号２３の点線曲線は、健聴者の最小可聴値曲線を示し、符号２４ａ１の点線曲線は、軽度難聴者の最小可聴値曲線を示し、符号２４ａ２の点線曲線は、軽度難聴者のうち、高い周波数帯をより増強する場合の最小可聴値曲線を示し、符号２４ａ３の点線曲線は、中度難聴者の最小可聴値曲線を示し、符号２４ａ４の点線曲線は、中度難聴者のうち、高い周波数帯をより増強する場合の最小可聴値曲線を示している。
図２（ａ）（ｂ）では、高度難聴者の場合を記載していないが、例えば、図４の符号２４ａ５で示す高度難聴者の最小可聴値曲線用として増幅度を３０ｄＢとするなどして切換回路２５ａに入力することができる。
【００３２】
図２は、Ｒｃｈ音声処理部１６ａについて説明したが、音声情報入力端子１０にＲｃｈとＬｃｈのステレオ信号が入力し、左右の出力信号を別々に調整する場合には、Ｌｃｈ音声処理部１６ｂを図２のＲｃｈ音声処理部１６ａと同様に構成する。
【００３３】
このような構成において、Ｒｃｈ音声処理部１６ａのＲｃｈ切換端子１７ａでＲｃｈの最適な音声を選択し、また、Ｌｃｈ音声処理部１６ｂのＬｃｈ切換端子１７ｂでＬｃｈの最適な音声を選択する。
この結果、難聴度の度合いによって増幅度と難聴周波数を適切に組み合わせた信号を選択でき、難聴度に応じて暗騒音を適切にしながら適切な明瞭度の音声を確保できる。
【００３４】
前記実施例では、ステレオ信号のＲｃｈとＬｃｈを個々に選択するようにしたが、これに限られるものではなく、モノラル信号やステレオ信号でもＲｃｈとＬｃｈを区別せずに同時に調整する場合には、図３に示すように、
外部からの音声情報を入力する音声情報入力端子１０と、
周囲の音を収集するマイクロホン１３と、
前記音声情報入力端子１０の音声情報と前記マイクロホン１３の周囲の音声を合成する合成器１２と、
この合成器１２の合成音の増幅度を多段階に調整可能な音声処理部１６からなる音声処理回路１５と、
この音声処理回路１５の音声を出力する音声出力部１９を具備し、
前記音声処理部１６は、多段階に調整した音声信号から最適音を選択する切換回路２５を含む。
【００３５】
音声処理部１６は、合成器１２から出力する合成音声の第２フォルマント以降を増幅する増幅度の異なる複数の増幅器２０と、第１フォルマントによって異なる周波数帯域を設定する複数のＢＰＦ（バンドパスフィルター）２１と、これら増幅器２０とＢＰＦ２１の組み合わせのアンド出力を取る複数のアンド回路２２とからなるものとする。
切換回路２５は、音声処理部１６で増幅度を調整した信号と、音声処理部１６で増幅度を調整しない信号の中からいずれか１つを選択する切換端子１７を含む。
【００３６】
このように、音声情報入力端子１０と合成器１２とマイクロホン１３と増幅器１４と音声処理回路１５と切換端子１６、１７とパワー増幅器１８と音声出力部１９は、それぞれ１つずつ設ければよい。
【符号の説明】
【００３７】
１０…音声情報入力端子、１１ａ…Ｒｃｈ端子、１１ｂ…Ｌｃｈ端子、１２…合成器、１２ａ…Ｒｃｈ合成器、１２ｂ…Ｌｃｈ合成器、１３…マイクロホン、１３ａ…Ｒｃｈマイクロホン、１３ｂ…Ｌｃｈマイクロホン、１４…増幅器、１４ａ…Ｒｃｈ増幅器、１４ｂ…Ｌｃｈ増幅器、１５…音声処理回路、１６…音声処理部、１６ａ…Ｒｃｈ音声処理部、１６ｂ…Ｌｃｈ音声処理部、１７…切換端子、１７ａ…Ｒｃｈ切換端子、１７ｂ…Ｌｃｈ切換端子、１８…パワー増幅器、１８ａ…Ｒｃｈパワー増幅器、１８ｂ…Ｌｃｈパワー増幅器、１９…音声出力部、１９ａ…Ｒｃｈ音声出力部、１９ｂ…Ｌｃｈ音声出力部、２０ａ１…第１増幅器、２０ａ２…第２増幅器、２１ａ１…第１ＢＰＦ（バンドパスフィルター）、２１ａ２…第２ＢＰＦ、２２ａ1、２２ａ２，２２ａ３，２２ａ４…アンド回路、２３…健聴者用入力端子、２４ａ１…第１難聴者用入力端子、２４ａ２…第２難聴者用入力端子、２４ａ３…第３難聴者用入力端子、２４ａ４…第４難聴者用入力端子、２５…切換回路、２５ａ…Ｒｃｈ切換回路、２５ｂ…Ｌｃｈ切換回路。
【図１】
0003212866.tif 000003
【図２】
0003212866.tif 000004
【図３】
0003212866.tif 000005
【図４】
0003212866.tif 000006
【図５】
0003212866.tif 000007